(57)【特許請求の範囲】
【請求項１】
ワイヤハーネスの端部に取付けられたコネクターを保持して該コネクターおよびワイヤハーネスの端部にカバーを装着するためのコネクター保持用治具であって、
上端が開口し、該開口を通してコネクターを収容する収納室を有する本体と、該本体の底部から下方に延在するとともに、延在方向先端部にストッパー部を有するガイド板とを備え、
前記収容室にコネクターを収納して該コネクターおよび前記本体の外周部を前記カバーで覆ったときに、前記ストッパー部にカバーの先端部を当接させるようにしたことを特徴とするコネクター保持用治具。
【発明の詳細な説明】
【０００１】
【発明の属する技術分野】
本発明は、コネクター保持用治具に関し、詳しくは、ワイヤハーネスの端部に取付けられたコネクターを保持して該コネクターおよびワイヤハーネスの端部にカバーを装着するためのコネクター保持用治具に関する。
【０００２】
【従来の技術】
一般に、車両に装着されるワイヤハーネスにあっては、その端部に設けられたコネクターを種々の電気機器に接続する必要がある。特に、コネクターおよびコネクターが接続される電気機器に水等が侵入したり、コネクターが他部材と干渉して損傷すること等のおそれがある箇所にワイヤハーネスを配設する場合（２輪者のスタータスイッチ等にコネクターを取付ける等）には、予めコネクターの外周部にカバーを取付けておき、コネクターをスタータスイッチ等に接続する際に、カバーによってスタータスイッチおよびコネクターを保護するようにしている。
【０００３】
従来のこの種のカバーを備えたワイヤハーネスとしては、例えば、図４に示すようなものがある。図４（ａ）において、１はワイヤハーネスであり、このワイヤハーネス１の外周部はビニールチューブ１ａが被覆されている。また、ワイヤハーネス１の端部にはコネクター２が取付けられており、このコネクター２およびワイヤハーネス１の端部にはＬ字形のカバー３が取付けられ、カバー３はテープ４によってワイヤハーネス１の端部に取付けられている。
【０００４】
また、カバー３の先端部にはテーパ３ａが形成されており、このテーパ３ａによってカバー３の先端部の一部が長尺に形成されている。このようにしたのは、カバー３をコネクター２に装着したときにカバー３によってコネクター２の全てを覆うのではなく、コネクター２をスタータスイッチ等に接続したときにコネクター２の接続方向によって他部材と干渉するコネクター２部分をカバー３の長尺部分Ａによって保護するためである。
【０００５】
このカバー３をコネクター２およびワイヤハーネス１の端部に取付けるには、図４（ｂ）に示すＵ字状の治具５が用いられる。具体的には、ワイヤハーネス１の配線後にワイヤハーネス１の外部にカバー３を取付けてワイヤハーネス３の端部をＬ字形に曲げた後、ワイヤハーネス３の端部にコネクター２を取付ける。
【０００６】
次いで、このワイヤハーネス３の端部を治具５に載置した後、カバー３をコネクター２側に移動させてコネクター２の外周部に被覆した後、メジャー等を使用してカバー３の先端部をコネクター２から先方に所定の量（例えば、１５ｍｍ）だけ引出す。次いで、テープ４によってワイヤハーネス１の端部にカバー３を固定することにより、カバー３の取付け作業を終了する。
【０００７】
【発明が解決しようとする課題】
しかしながら、このような従来のカバー３の装着方法にあっては、治具５にワイヤハーネス１を載置して行なっていたため、コネクター２がフリーの状態となってしまい、このような状態でメジャーを使ってカバー３をコネクター２から引出してテープ止めする作業が非常に面倒で長時間要してしまうという問題があった。
【０００８】
また、コネクター２がフリーの状態であるため、図５（ａ）に示すようにコネクター２の方向とカバー３の先端部の長尺部分Ａを仕様通りに一致したいのにも拘らず、図５（ｂ）に示すようにカバー３の取付け時にコネクター２の方向とカバー３の先端部の長尺部分Ａが逆になってしまい、保護したいコネクター２部分を確実に保護することができないことがあった。
【０００９】
そこで本発明は、カバーの先端部をコネクターから簡単に引出してカバーをコネクターおよびワイヤハーネスの端部に取付けることができるようにして、カバーの取付け作業を簡単、かつ短時間で行なうことができ、カバーの取付け作業の作業性を向上させることができる上に、コネクターの方向を一定にしてカバーの引出し部分とコネクターの保護部分を一致させることができるコネクター保持用治具を提供することを目的としている。
【００１０】
【課題を解決するための手段】
請求項１記載の発明は、上記課題を解決するために、ワイヤハーネスの端部に取付けられたコネクターを保持して該コネクターおよびワイヤハーネスの端部にカバーを装着するためのコネクター保持用治具であって、上端が開口し、該開口を通してコネクターを収容する収納室を有する本体と、該本体の底部から下方に延在するとともに、延在方向先端部にストッパー部を有するガイド板とを備え、前記収容室にコネクターを収納して該コネクターおよび前記本体の外周部を前記カバーで覆ったときに、前記ストッパー部にカバーの先端部を当接させるようにしたことを特徴としている。
【００１１】
その場合、コネクターを本体に固定することができるとともに、コネクターおよび本体の外周部をカバーで覆ったときに、ストッパー部にカバーの先端部を当接させることができるため、コネクターからのカバーの引出し量を容易に設定することができ、この状態でカバーをコネクターおよびワイヤハーネスの端部に取付けることができる。この結果、カバーの取付け作業を簡単、かつ短時間で行なうことができ、カバーの取付け作業の作業性を向上させることができる。
【００１２】
また、コネクターを本体に取付ける際にコネクターの方向を一定にすることができるため、カバーの先端部に長尺部分が存在する場合には、この長尺部分とコネクターの保護部分を一致させることができる。
【００１３】
【発明の実施の形態】
以下、本発明の実施形態を図面に基づいて説明する。
【００１４】
図１〜３は本発明に係るコネクター保持用治具の一実施形態を示す図である。
【００１５】
まず、構成を説明する。図１において、１１はワイヤハーネスであり、このワイヤハーネス１１の外周部はビニールチューブ１１ａが被覆されている。また、ワイヤハーネス１１の端部にはコネクター１２が取付けられており、このコネクター１２およびワイヤハーネス１１の端部にはＬ字形のカバー１３が取付けられ、カバー１３はテープ１４によってワイヤハーネス１１の端部に取付けられている。なお、この際にカバー１３の基端部とビニールチューブ１１ａは一部分がオーバーラップされている。
【００１６】
また、カバー１３の先端部にはテーパ１３ａが形成されており、このテーパ１３ａによってカバー１３の先端部の一部が長尺に形成されている。このようにしたのは、カバー１３をコネクター１２に装着したときにカバー１３によってコネクター１２の全てを覆うのではなく、コネクター１２をスタータスイッチ等に接続したときにコネクター１２の接続方向によって他部材と干渉するコネクター１２部分をカバー１３の長尺部分Ｂによって保護するためである。
【００１７】
図２において、符号１５はコネクター保持用治具であり、この治具１５は上端が開口し、該開口を通してコネクター１２を収容する収納室１６を有する本体１７を備えている。この本体１７にはガイド板１８が設けられており、このガイド板１８は本体１７の底部１７ａから下方に延在するとともに、延在方向先端部にストッパー部１８ａが形成されている。
【００１８】
また、本体１７の側板の一部分は上方に延在する延在部１９を有しており、この延在部１９はガイド板１８に対向している。また、延在部１８ａの延在方向先端部にはストッパー部１９ａが形成されており、このストッパー部１９ａはテープ１４の巻端位置に規制するとともに、カバー１３の折り曲げ部分をガイドするものである。また、本体１７の底部１７ａ背面には棒状部材２０が設けられており、この棒状部材２０は図示しないワイヤハーネス組立用基板に立設されている。
【００１９】
次に、カバー１３をコネクター１２およびワイヤハーネス１１の端部に取付ける方法を説明する。
【００２０】
まず、ワイヤハーネス組立用基板によってワイヤハーネス１１を配線し、このワイヤハーネス１の外部にカバー１３を取付けてワイヤハーネス１３の端部をＬ字形に曲げた後、ワイヤハーネス１３の端部にコネクター１２を取付ける。
【００２１】
次いで、コネクター１２の方向を任意の方向になるようにしてコネクター１２を収容室１６に収容する。なお、コネクター１２の任意の方向とは、カバー１３の長尺部分Ｂとコネクター１２の保護部分が一致する方向のことであり、本実施形態の場合には、ガイド板１８に対向する部分がコネクター１２の保護部分である。
【００２２】
コネクター１２を収容室１６に収容した後、図３に示すようにコネクター１２および本体１７の外周部をカバー１３で覆った後、カバー１３の長尺部分Ｂがストッパー部１８ａに当接するまでカバー１３を移動させた後、テープ１４によってカバー１３をワイヤハーネス１１の端部に取付ける。このとき、テープ１４の巻端がストッパー部１９ａに当接したときにテープ巻作業を終了する。
【００２３】
このように本実施形態では、上端が開口し、開口を通してコネクター１２を収容する収納室１６を有する本体１７と、本体１７の底部１７ａから下方に延在するとともに、延在方向先端部にストッパー部１８ａを有するガイド板１８とからコネクター保持用治具１５を構成したため、コネクター１２を本体１７に固定することができるとともに、コネクター１２および本体１７の外周部をカバーで覆ったときに、ストッパー部１８ａにカバー１３の長尺部分Ｂを当接させることができる。
【００２４】
このため、コネクター１２からのカバー１３の引出し量を容易に設定することができ、この状態でカバー１３をコネクター１２およびワイヤハーネス１１の端部に取付けることができる。この結果、カバー１３の取付け作業を簡単、かつ短時間で行なうことができ、カバー１３の取付け作業の作業性を向上させることができる。
【００２５】
また、コネクター１２を本体１７に取付ける際にコネクター１７の方向を一定にすることができるため、カバー１３の長尺部分Ｂとコネクター１２の保護部分を一致させることができる。
【００２６】
【発明の効果】
請求項１記載の発明によれば、コネクターを本体に固定することができるとともに、コネクターおよび本体の外周部をカバーで覆ったときに、ストッパー部にカバーの先端部を当接させることができるため、コネクターからのカバーの引出し量を容易に設定することができ、この状態でカバーをコネクターおよびワイヤハーネスの端部に取付けることができる。この結果、カバーの取付け作業を簡単、かつ短時間で行なうことができ、カバーの取付け作業の作業性を向上させることができる。
【００２７】
また、コネクターを本体に取付ける際にコネクターの方向を一定にすることができるため、カバーの先端部に長尺部分が存在する場合には、この長尺部分とコネクターの保護部分を一致させることができる。
【図面の簡単な説明】
【図１】本発明に係るコネクター保持用治具の一実施形態を示す図であり、その保持用治具によってカバーが取付けられたワイヤハーネスの構成図である。
【図２】（ａ）は一実施形態の保持用治具を示す図であり、（ａ）はその正面図、（ｂ）はその底面図である。
【図３】コネクターを組立用治具で保持してカバーをコネクターおよびワイヤハーネスの端部に取付けた状態を示す図である。
【図４】（ａ）はカバーが取付けられたワイヤハーネスの構成図、（ｂ）は従来の治具によってカバーをコネクターおよびワイヤハーネスの端部に取付けた状態を示す図である。
【図５】（ａ）はカバーの長尺部分とコネクターの取付け方向が一致した状態を示す図４のＸ方向矢視図、（ｂ）はカバーの長尺部分とコネクターの取付け方向が一致しない状態を示す図４のＸ方向矢視図である。
【符号の説明】
１１    ワイヤハーネス
１２    コネクター
１３    カバー
１５    コネクター保持用治具
１６    収納室
１７    本体
１８    ガイド板
１８ａ    ストッパー部
【図１】
0003584783.tif 000002
【図２】
0003584783.tif 000003
【図３】
0003584783.tif 000004
【図４】
0003584783.tif 000005
【図５】
0003584783.tif 000006